(57)【要約】【課題】キャップに対する落下菌の付着を防止しつつ、キャップのコネクタへの接続を容易かつ迅速に行なうことができる保持具を提供すること。【解決手段】保持具１は、透析液が通過する透析ラインの途中を分離可能に接続するコネクタに装着して用いられるキャップ９を保持するものである。この保持具１は、キャップ９を、その外周側から支持する支持部２２を有する保持具本体２と、保持具本体２に対して着脱自在に装着され、その装着状態でキャップ９の開口部９４を覆う蓋体３とを備える。また、保持具本体２および蓋体３のうちの一方は、前記装着状態を解除する解除操作を行なう操作部４を有する。そして、操作部４での解除操作を行なった際、保持具本体２から蓋体３が離脱して、キャップ９の開口部９４が露出する。【選択図】図４
2019005440.tif 000002
【特許請求の範囲】
【請求項１】
透析液が通過する透析ラインの途中を分離可能に接続するコネクタに装着して用いられるキャップを保持する保持具であって、
前記キャップは、一端側が開口した開口部と、他端側が閉塞した閉塞部とを有する筒状をなすものであり、
当該保持具は、前記キャップを、該キャップの外周側から支持する支持部を有する保持具本体と、
前記保持具本体に対して着脱自在に装着され、その装着状態で前記キャップの前記開口部を覆う蓋体とを備え、
前記保持具本体および蓋体のうちの一方は、前記装着状態を解除する解除操作を行なう操作部を有し、
前記解除操作を行なった際、前記保持具本体から前記蓋体が離脱して、前記キャップの前記開口部が露出することを特徴とする保持具。
【請求項２】
前記保持具本体および蓋体のうちの一方は、他方に対して係合して、前記装着状態を取らせる係合部を有する請求項１に記載の保持具。
【請求項３】
前記係合部は、少なくとも１つの弾性片で構成され、
前記操作部は、前記解除操作時に前記弾性片を、該弾性片の弾性力に抗して押圧する押圧部を有する請求項２に記載の保持具。
【請求項４】
前記弾性片は、前記キャップを介して一対設けられており、
前記押圧部は、前記各弾性片に対応して設けられている請求項３に記載の保持具。
【請求項５】
前記操作部は、前記保持具本体に設けられ、
前記係合部は、前記蓋体に設けられており、
前記保持具本体は、前記装着状態が解除されるのに先立って、または、前記装着状態の解除と同時に、前記蓋体を前記保持具本体から離脱する方向に向かって押圧する力を付与する力付与部を有する請求項３または４に記載の保持具。
【請求項６】
前記キャップは、前記保持具本体から前記蓋体が離脱した後、該蓋体の離脱方向と同じ方向に、前記保持具本体から離脱可能となる請求項１ないし５のいずれか１項に記載の保持具。
【請求項７】
前記キャップは、前記保持具本体から離脱する前に前記コネクタに接続され、該コネクタに接続された後に、前記保持具本体から離脱する請求項６に記載の保持具。
【発明の詳細な説明】
【技術分野】
【０００１】
本発明は、保持具に関する。
【背景技術】
【０００２】
近年、腹膜透析による治療法は、人工腎臓による透析法に比し、装置、器具が小型で簡易であり、治療費も安いこと、腹膜癒着の防止が可能となったこと、患者の負担が少ないこと等の理由から、注目されている。
【０００３】
この腹膜透析法のうち、特に連続的携帯式腹膜透析法（Continuous Ambulatory Peritoneal Dialysis）は、患者自身が自宅や職場で透析液の容器（バッグ）の交換を行なうことができるため、社会復帰がし易く、大いに注目されている。
【０００４】
この連続的携帯式腹膜透析法では、患者側に接続されたチューブと、透析液が入った透析液バッグ側に接続されたチューブとを接続する。これらのチューブ同士の接続は、各チューブの端部にそれぞれ設置されたコネクタ同士の接続により行なわれる（例えば、特許文献１参照）。また、特許文献１には、コネクタ同士の接続が行なわれるまでは、患者側に接続されたチューブのコネクタに一時的にキャップを装着することが開示されている。
【０００５】
そして、キャップには、例えば次に述べる状態で包装用袋に無菌的に収納されているものがある。キャップは、台座に嵌合により固定されており、当該台座ごと包装用袋に収納されている。そして、キャップを使用する場合には、まず包装用袋を開封し、次いでキャップを台座ごと取り出して、例えばテーブル上に置く。その後、例えば左手で台座をテーブルに押さえ付けたまま、右手でキャップを台座から引き抜く。このように両手を使ってキャップを引き抜く作業は、患者にとっては負担となっており、コネクタ同士の接続を行なうまでに時間が掛かってしまう。また、引き抜き時の力加減によっては、キャップは、その内側に落下菌が付着するような姿勢となることがある。このような落下菌の付着は、腹膜透析では好ましくない。
【先行技術文献】
【特許文献】
【０００６】
【特許文献１】特開２００３−２１０５７４号公報
【発明の概要】
【発明が解決しようとする課題】
【０００７】
本発明の目的は、キャップに対する落下菌の付着を防止しつつ、キャップのコネクタへの接続を容易かつ迅速に行なうことができる保持具を提供することにある。
【課題を解決するための手段】
【０００８】
このような目的は、下記（１）〜（７）の本発明により達成される。
（１）  透析液が通過する透析ラインの途中を分離可能に接続するコネクタに装着して用いられるキャップを保持する保持具であって、
前記キャップは、一端側が開口した開口部と、他端側が閉塞した閉塞部とを有する筒状をなすものであり、
当該保持具は、前記キャップを、該キャップの外周側から支持する支持部を有する保持具本体と、
前記保持具本体に対して着脱自在に装着され、その装着状態で前記キャップの前記開口部を覆う蓋体とを備え、
前記保持具本体および蓋体のうちの一方は、前記装着状態を解除する解除操作を行なう操作部を有し、
前記解除操作を行なった際、前記保持具本体から前記蓋体が離脱して、前記キャップの前記開口部が露出することを特徴とする保持具。
【０００９】
（２）  前記保持具本体および蓋体のうちの一方は、他方に対して係合して、前記装着状態を取らせる係合部を有する上記（１）に記載の保持具。
【００１０】
（３）  前記係合部は、少なくとも１つの弾性片で構成され、
前記操作部は、前記解除操作時に前記弾性片を、該弾性片の弾性力に抗して押圧する押圧部を有する上記（２）に記載の保持具。
【００１１】
（４）  前記弾性片は、前記キャップを介して一対設けられており、
前記押圧部は、前記各弾性片に対応して設けられている上記（３）に記載の保持具。
【００１２】
（５）  前記操作部は、前記保持具本体に設けられ、
前記係合部は、前記蓋体に設けられており、
前記保持具本体は、前記装着状態が解除されるのに先立って、または、前記装着状態の解除と同時に、前記蓋体を前記保持具本体から離脱する方向に向かって押圧する力を付与する力付与部を有する上記（３）または（４）に記載の保持具。
【００１３】
（６）  前記キャップは、前記保持具本体から前記蓋体が離脱した後、該蓋体の離脱方向と同じ方向に、前記保持具本体から離脱可能となる上記（１）ないし（５）のいずれかに記載の保持具。
【００１４】
（７）  前記キャップは、前記保持具本体から離脱する前に前記コネクタに接続され、該コネクタに接続された後に、前記保持具本体から離脱する上記（６）に記載の保持具。
【００１５】
また、本発明の保持具では、前記力付与部は、前記操作部の前記押圧部と異なる部分に設けられているのが好ましい。
【００１６】
また、本発明の保持具では、前記操作部は、前記力付与部によって前記蓋体に前記力が付与された状態で操作されるのが好ましい。
【００１７】
また、本発明の保持具では、前記保持具本体は、板状をなし、
前記支持部は、前記保持具本体を貫通する貫通孔で構成されているのが好ましい。
【００１８】
また、本発明の保持具では、前記キャップは、螺合により前記コネクタに接続されるものであり、
前記保持具本体は、前記螺合時に把持される把持部として機能するのが好ましい。
【００１９】
また、キャップ包装体は、透析液が通過する透析ラインの途中を分離可能に接続するコネクタに装着して用いられるキャップと、
前記キャップを保持する、本発明の保持具と、
前記保持具に保持された状態の前記キャップを、前記保持具ごと包装する包材とを備えることを特徴とする。
【発明の効果】
【００２０】
本発明によれば、少なくとも保持具本体から蓋体を離脱させるまでは、蓋体でキャップの開口部を覆うことができる。これにより、キャップに対する落下菌の付着を防止することができる。
【００２１】
また、キャップをコネクタに接続する際、キャップが保持具本体に支持された状態で、当該保持具本体を把持して、その接続を行なうことができる。これにより、キャップのコネクタへの接続を容易かつ迅速に行なうことができる。
【図面の簡単な説明】
【００２２】
【図１】図１は、腹膜透析セットを示す概略図である。
【図２】図２は、本発明の保持具がキャップを保持した状態を示す斜視図である。
【図３】図３は、図２中の矢印Ａ方向から見た図である。
【図４】図４は、図２中のＢ−Ｂ線断面図である。
【図５】図５は、図２中のＣ−Ｃ線断面図である。
【図６】図６は、図５に示す状態から蓋体が離脱した状態を示す垂直断面図である。
【図７】図７は、本発明の保持具に保持されたキャップをコネクタに装着するまでの過程を順に示す斜視図である。
【図８】図８は、本発明の保持具に保持されたキャップをコネクタに装着するまでの過程を順に示す斜視図である。
【図９】図９は、本発明の保持具に保持されたキャップをコネクタに装着するまでの過程を順に示す斜視図である。
【発明を実施するための形態】
【００２３】
以下、本発明の保持具を添付図面に示す好適な実施形態に基づいて詳細に説明する。
図１は、腹膜透析セットを示す概略図である。図２は、本発明の保持具がキャップを保持した状態を示す斜視図である。図３は、図２中の矢印Ａ方向から見た図である。図４は、図２中のＢ−Ｂ線断面図である。図５は、図２中のＣ−Ｃ線断面図である。図６は、図５に示す状態から蓋体が離脱した状態を示す垂直断面図である。図７〜図９は、それぞれ、本発明の保持具に保持されたキャップをコネクタに装着するまでの過程を順に示す斜視図である。なお、以下では、説明の都合上、図２、図４〜図９中の上側を「上（上方）」または「表側」、下側を「下（下方）」または「裏側」と言う。
【００２４】
図１に示す腹膜透析セット１００は、腹膜透析法のうち、特に連続的携帯式腹膜透析法（Continuous Ambulatory Peritoneal Dialysis）に好適に用いることができるもの、すなわち、腹膜透析を行なうに際し、患者の腹膜内（腹腔内）に透析液を注入（供給）し、その後、透析液の排液を回収するものである。
【００２５】
腹膜透析セット１００は、透析液が予め充填された透析液バッグ１４と、透析液の排液を回収する排液バッグ１９と、透析液バッグ１４および排液バッグ１９にそれぞれ接続されたバッグ側チューブ１１と、患者の腹膜内に留置されたカテーテル（図示せず）に接続されたトランスファーチューブ１８と、バッグ側チューブ１１とトランスファーチューブ１８とを着脱自在に接続する腹膜透析用コネクタ１２とを有している。なお、腹膜透析セット１００は、必要に応じて、透析液バッグ１４または排液バッグ１９が省略されていてもよい。
【００２６】
また、腹膜透析セット１００では、バッグ側チューブ１１と、トランスファーチューブ１８と、腹膜透析用コネクタ１２とで透析液（その排液を含む）が通過する透析ライン１０を構成している。また、腹膜透析用コネクタ１２は、第１のコネクタ１２１と、第２のコネクタ１２２とを有している。そして、第１のコネクタ１２１と第２のコネクタ１２２とが接続されることにより、透析ライン１０を透析液が上流から下流に向かって流下することができる。また、第１のコネクタ１２１と第２のコネクタ１２２との接続が解除されることにより、透析ライン１０の途中を分離することができる。これにより、例えば使用済の透析液バッグ１４や排液バッグ１９を、新たな、すなわち、未使用の透析液バッグ１４や排液バッグ１９に交換することができる。
【００２７】
バッグ側チューブ１１は、透析液バッグ１４と腹膜透析用コネクタ１２の第１のコネクタ１２１とを接続するチューブ１１１と、チューブ１１１の途中から分岐した分岐チューブ１１２とで構成されている。チューブ１１１と分岐チューブ１１２とは、分岐部１１３を介して互いに連通している。また、分岐チューブ１１２は、分岐部１１３と反対側で排液バッグ１９に接続されている。このようなバッグ側チューブ１１では、その一部を選択的に閉塞して、透析液の流路を切り替えることができる。換言すれば、バッグ側チューブ１１では、透析液バッグ１４から患者側に透析液を供給するときには、分岐チューブ１１２の分岐部１１３近傍を閉塞する。また、患者側から排液バッグ１９に排液を回収するときには、チューブ１１１の分岐部１１３の透析液バッグ１４側近傍を閉塞する。このチューブを閉塞する方法としては、特に限定されず、例えば、閉塞したいチューブにクレンメを装着する方法が挙げられる。
【００２８】
トランスファーチューブ１８の患者側と反対側には、腹膜透析用コネクタ１２の第２のコネクタ１２２が接続されている。また、トランスファーチューブ１８には、その途中を着脱自在に接続するコネクタ１７と、コネクタ１７よりも第２のコネクタ１２２側でトランスファーチューブ１８内を開閉するローラクランプ１６とが設置されている。
【００２９】
ところで、第１のコネクタ１２１と第２のコネクタ１２２との接続が解除されている接続解除状態では、第２のコネクタ１２２にキャップ９が一時的に装着される。これは、接続解除状態となっている間に、例えば落下菌が第２のコネクタ１２２に付着するのを防止するためである。
【００３０】
図２に示すように、キャップ９は、未使用状態で例えばアルミニウム製の袋状の包材３０に包装されており、キャップ包装体２０となっている。また、キャップ９は、包材３０内で、保持具１に保持されている。このようにキャップ包装体２０は、キャップ９と、キャップ９を保持する保持具１と、保持具１に保持された状態のキャップ９を保持具１ごと包装する包材３０とを備えたものなっている。なお、キャップ９を第２のコネクタ１２２に装着して使用する際には、キャップ９を保持具１ごと包材３０から取り出し、その後、保持具本体２から蓋体３を離脱させてから用いる。
【００３１】
以下、キャップ９と保持具１とについて説明する。
まず、キャップ９について説明する。
【００３２】
図４に示すように、キャップ９は、キャップ９は、下側（一端側）が開口した開口部９４と、上側（他端側）が閉塞した閉塞部となる上側壁部９３とを有する筒状をなすものである。詳細には、キャップ９は、円筒状をなす外筒部９１と、外筒部９１の内側に同心的に配置され、円筒状をなす内筒部９２と、外筒部９１と内筒部９２とをつなぐ上側壁部９３とを有している。また、上側壁部９３と反対側は、下方に開口した開口部９４となっている。
【００３３】
外筒部９１は、その内周部９１１に雌ネジ９１２が形成されている。これにより、キャップ９を第２のコネクタ１２２の雄ネジ１２３と螺合により接続することができる（図７〜図９参照）。また、外筒部９１の外周部９１３の下部には、外径が拡径した拡径部９１４が形成されている。この拡径部９１４は、キャップ９の中で最も外径が大きい部分、すなわち、最大外径となる部分である。外周部９１３の拡径部９１４よりも上側の部分には、複数のリブ９１５が突出して形成されていている（例えば図２参照）。各リブ９１５は、外筒部９１の中心軸方向、すなわち、上下方向に沿って延在しており、外筒部９１の周方向に沿って等間隔に配置されている。このようなリブ９１５が形成されていることにより、キャップ９を第２のコネクタ１２２に螺合する際に、少なくとも１つのリブ９１５に指先を掛けて容易に回転させることができ、よって、その螺合を迅速に行なうことができる。
【００３４】
内筒部９２は、外筒部９１よりも全長が短く、上側壁部９３側に位置している。この内筒部９２の内周部９２１は、内径が第２のコネクタ１２２の形状に対応して変化している。
【００３５】
また、内筒部９２には、リング状のパッキン９６が支持、固定されている。キャップ９が第２のコネクタ１２２に接続された状態では、これらの間の液密性がパッキン９６により維持され、よって、液漏れを防止することができる。
【００３６】
外筒部９１と内筒部９２との間には、ポビドンヨード等のような消毒液を含浸したスポンジ９５が上側壁部９３まで挿入されている。キャップ９の開口部９４から接続された第２のコネクタ１２２は、その端部がスポンジ９５に接触して、消毒されることとなる。
【００３７】
このような構成のキャップ９は、滅菌された状態で包材３０内に収納されている。なお、滅菌方法としては、特に限定されないが、例えば、オートクレーブ滅菌による方法を用いるのが好ましい。
【００３８】
次に、保持具１について説明する。
図２に示すように、保持具１は、キャップ９を保持するものである。保持具１は、保持具本体２と、保持具本体２に対して着脱自在に装着される蓋体３との２つの部材を備えている。保持具本体２は、キャップ９を支持する部材であり、蓋体３は、保持具本体２に装着された状態（以下「装着状態」と言う）でキャップ９の開口部９４を覆う部材である。なお、保持具本体２および蓋体３の構成材料としては、特に限定されず、例えば、金型成形が容易であるという点で、環状ポリオレフィン、ポリエステル等のような各種樹脂材料を用いるのが好ましい。また、製造コストや弾性等を考慮すると、ポリプロピレン、ポリカーボネート、ポリアセタール等のような各種樹脂材料を用いることもできる。
【００３９】
図２〜図６に示すように、保持具本体２は、全体形状が板状をなす板状体２１を有している。板状体２１は、厚さがキャップ９の高さよりも小さいものである。この板状体２１には、キャップ９を支持する支持部２２と、例えばキャップ９を使用する使用者の指を掛ける指掛け部２３とが設けられている。
【００４０】
支持部２２は、板状体２１の中央部に設けられている。図４に示すように、支持部２２は、板状体２１（保持具本体２）を、その厚さ方向に貫通する貫通孔で構成されている。この貫通孔で構成された支持部２２は、内径が最大の大径部２２１と、内径が最小の小径部２２２と、内径が裏側から表側に向かって漸減した内径漸減部２２３とを有している。大径部２２１は、板状体２１の裏側に位置し、小径部２２２は、板状体２１の表側に位置し、内径漸減部２２３は、大径部２２１と小径部２２２との間に位置する。
【００４１】
そして、支持部２２にキャップ９を板状体２１の裏側から挿入すると、キャップ９の拡径部９１４が大径部２２１に嵌合する。これにより、キャップ９を、その外周側から支持することができる。
【００４２】
また、内径漸減部２２３がキャップ９の拡径部９１４に当接することにより、キャップ９の挿入限界が規制される。
【００４３】
図３に示すように、小径部２２２の内周部には、キャップ９のリブ９１５と同数の溝２２４が形成されている。各溝２２４は、上下方向に沿って形成され、小径部２２２の内周部の周方向に沿って等間隔に配置されている。キャップ９は、支持部２２に挿入されると、各リブ９１５が溝２２４に係合することができる。これにより、後述するように、保持具本体２を把持して、当該保持具本体２に支持されているキャップ９に、第２のコネクタ１２２をねじ込んで接続するときに、キャップ９が保持具本体２に対して空回りするのを防止することができる。
【００４４】
また、支持部２２に支持されたキャップ９を離脱させる、すなわち、取り外すには、前記と反対にキャップ９を支持部２２から抜去することにより可能となる。
【００４５】
このように支持部２２が貫通孔で構成されていることにより、キャップ９の支持と取り外しとを簡単に行なうことができる。
【００４６】
図２、図３に示すように、指掛け部２３は、板状体２１の図中の左右両側にそれぞれ設けられている。双方の指掛け部２３は、互いに反対方向に向かって突出しており、丸みを帯びている。これにより、保持具本体２を把持して、当該保持具本体２に支持されているキャップ９に、第２のコネクタ１２２をねじ込んで接続するときに、各指掛け部２３に指を掛けることができ、よって、そのねじ込みを容易に行なうことができる。
【００４７】
また、保持具１を包材３０から取り出す際に、保持具１の中で、指掛け部２３に指を掛けて、または、指掛け部２３を摘まんで、そのまま保持具１を引き出すこともできる。
【００４８】
また、図８に示すように、キャップ９に、第２のコネクタ１２２をねじ込んで接続した際に、これらを図中の上側から見たとき、保持具本体２の各指掛け部２３と、第２のコネクタ１２２の各ウィング部１２４とが合わさった（重なった）状態とすることにより、キャップ９と第２のコネクタ１２２との接続が完了したことを目視で確認することができる。
【００４９】
なお、板状体２１は、軽量化のために厚さを薄くした薄肉部２４が形成されており、この薄肉部２４を補強するリブ２５も形成されている。また、板状体２１は、薄肉部２４を省略して、厚さが一定のものであってもよい。
【００５０】
図５、図６に示すように、保持具本体２は、板状体２１の他に、さらに、操作部４と、力付与部５とを有しており、板状体２１と操作部４と力付与部５とが一体的に形成されている。操作部４は、蓋体３の装着状態を解除する解除操作を行なう部分である。力付与部５は、装着状態にある蓋体３を保持具本体２から離脱する方向に向かって押圧する力を付与する部分である。
【００５１】
図３に示すように、操作部４は、板状体２１に片持支持された一対の操作片４１で構成されている。各操作片４１は、板状体２１を介して、図中の上側と下側とに設けられている。また、各操作片４１は、いずれも図３中の左側が固定端４１１、右側が自由端４１２となっている。これにより、各操作片４１は、互い接近、離間する方向に弾性変形する。各操作片４１は、配置箇所が異なること以外は、同じ構成であるため、以下代表的に１つの操作片４１について説明する。
【００５２】
操作片４１は、長尺状をなし、固定端４１１側が円弧状に湾曲した湾曲部４１３となっている。操作片４１の弾性変形時には、湾曲部４１３により、固定端４１１付近での応力が緩和される。これにより、操作片４１が安定して弾性変形することができる。
【００５３】
また、操作片４１の自由端４１２には、蓋体３の装着状態を解除する解除操作時に、保持具１の表側で、蓋体３の係合部７を押圧する押圧部４２が設けられている。押圧部４２は、板状体２１側に向かって突出している。また、押圧部４２の板状体２１に臨む面（押圧面４２１）は、丸みを帯びている。押圧面４２１上では、操作片４１の変形の程度に応じて、係合部７に当接する位置がわずかながらも徐々に変わっていく。このため、押圧面４２１が丸みを帯びていることにより、係合部７に当接する位置に関わらず、係合部７を安定して確実に押圧することができる。
【００５４】
図３、図５、図６に示すように、各操作片４１（操作部４）の押圧部４２と異なる部分、すなわち、各操作片４１の押圧部４２と湾曲部４１３との間であって、押圧部４２寄りには、力付与部５が設けられている。力付与部５は、蓋体３の装着状態が解除されるのに先立って、装着状態にある蓋体３を保持具本体２から離脱する方向に向かって押圧する力を付与する部分である。図５に示すように、力付与部５は、蓋体３側に向かって突出している。また、力付与部５は、操作片４１の変位する方向、すなわち、図５中の左右方向に対して傾斜した押圧面５１を有している。このような構成の力付与部５は、操作片４１の変位に伴って、蓋体３に接近して、保持具１の裏側で、押圧面５１が蓋体３を上側から下側に向かって押圧することができる。これにより、装着状態にある蓋体３には、保持具本体２から離脱する方向に向かって押圧する力が付与される。そして、保持具本体２との係合が解除された蓋体３は、そのまま、下方に押圧されることとなり、結果、保持具本体２から確実に離脱することができる（図５、図６参照）。
【００５５】
なお、力付与部５が蓋体３に対して力を付与するタイミングは、本実施形態では装着状態が解除されるのに先立ってであったが、これに限定されず、例えば、装着状態の解除と同時にであってもよい。このような力付与のタイミングの調整は、例えば、保持具１の設計時に、押圧部４２の突出量と力付与部５の突出量との差を変更することにより可能となる。
【００５６】
図４に示すように、蓋体３は、保持具本体２に対して着脱自在に装着され、その装着状態でキャップ９の開口部９４を覆う裏蓋である。この蓋体３により、キャップ９の内側に空中落下菌が付着するのを防止することができる。また、スポンジ９５に含浸された消毒液が蒸発して、スポンジ９５が乾燥してしまうのを防止または抑制することもできる。
【００５７】
図５、図６に示すように、蓋体３は、全体形状が板状をなす板状体６と、保持具本体２に係合可能な係合部７とを有し、板状体６と係合部７とが一体的に形成されている。
【００５８】
図３に示すように、板状体６は、保持具本体２の板状体２１とほぼ同じ大きさを有し、蓋体３の装着状態で、全体が板状体２１と重なる。これにより、図４に示すように、保持具本体２に支持されたキャップ９の開口部９４を十分に覆うことができる。よって、キャップ９を保持具１ごと包材３０から取り出した後も、当該キャップ９の内側に空中落下菌が付着するのを防止することができ、衛生上好ましい。なお、この板状体６は、蓋体３の中で、前述した力付与部５によって力が付与される部分である。
【００５９】
図５に示すように、係合部７は、保持具本体２に係合して、蓋体３に装着状態を取らせる部分である。この係合部７は、上方に向かって突出した一対の弾性片７１で構成されている。各弾性片７１は、各操作片４１の押圧部４２に対応して、板状体６の図５中の左右両側にそれぞれ設けられている。また、各弾性片７１は、保持具本体２に係合している状態では、保持具本体２の薄肉部２４を貫通している。
【００６０】
各弾性片７１の上部には、互いに反対方向に向かって突出した爪部７２が形成されている。各爪部７２が表側から保持具本体２に係合することにより、蓋体３が保持具本体２から離脱するのが防止され、よって、保持具本体２に装着された装着状態となる。
【００６１】
そして、蓋体３の装着状態を解除するには、まず、図５に示す状態から双方の操作片４１を一括して摘まんで押し込んでいく。これにより、各操作片４１の押圧部４２と力付与部５とが蓋体３に接近していくが、押圧部４２が蓋体３の弾性片７１の爪部７２を押圧するよりも先に、力付与部５が蓋体３の板状体６に当接して、下方への力を付与する。その後、さらに双方の操作片４１を押し込んでいくと、力付与部５によって蓋体３に下方への力が付与された状態のまま、弾性片７１を、その弾性力に抗して押圧することができる。この弾性片７１に対する押圧により、爪部７２の係合が解除される。蓋体３は、爪部７２の係合解除と、力付与部５による下方への力付与とが相まって、図６に示すように、保持具本体２から確実に離脱する。これにより、キャップ９は、開口部９４が露出して、第２のコネクタ１２２の接続が可能な状態となる。
【００６２】
このように蓋体３の装着状態を解除する解除操作は、双方の操作片４１を一括して摘まんで押し込むという簡単な操作で、迅速に行なわれる。このように保持具１は、解除操作を保持具１を片手で行なうことができ、操作性に優れたものとなっている。また、解除操作は、保持具本体２が上側に位置し、蓋体３が下側に位置した状態で行なわれるのが好ましい。これにより、蓋体３を保持具本体２から取り外しても、当該キャップ９の内側に空中落下菌が付着するのを防止することができる。また、各操作片４１（操作部４）は、力付与部５によって蓋体３に力が付与された状態で操作される。これにより、例えば爪部７２の係合を解除しただけ場合に比べて、蓋体３を確実に離脱させることができる。
【００６３】
次に、キャップ９を第２のコネクタ１２２に接続する操作について、図７〜図９を参照しつつ説明する。
【００６４】
図７に示すように、保持具１は、蓋体３が保持具本体２から取り外されており、当該保持具本体２に支持されているキャップ９は、開口部９４が露出した状態となっている。また、第２のコネクタ１２２は、第１のコネクタ１２１との接続が解除された状態となっている。
【００６５】
そして、図８に示すように、キャップ９を、保持具本体２に支持されている状態のまま、第２のコネクタ１２２に接近させて、矢印α９方向に回転させる。これにより、キャップ９が第２のコネクタ１２２に螺合していく。なお、キャップ９の回転は、第２のコネクタ１２２に対する螺合限界まで行なわれる。これにより、キャップ９を第２のコネクタ１２２に液密的に接続することができる。
【００６６】
次に、図９に示すように、保持具本体２を矢印α２方向に引張る。これにより、キャップ９が保持具本体２から離脱して、キャップ９と第２のコネクタ１２２との接続操作が完了する。
【００６７】
以上のように、本発明の保持具１を用いることにより、キャップ９は、保持具本体２から離脱する前に第２のコネクタ１２２（コネクタ）に接続され、第２のコネクタ１２２に接続された後に、保持具本体２から離脱する。この場合、キャップ９を矢印α９方向に回転させて、第２のコネクタ１２２に螺合させていくときに、保持具本体２を把持して、その螺合操作を行なうことができる。このように、保持具本体２は、第２のコネクタ１２２に螺合させていくときに把持される把持部として機能する。これにより、キャップ９の第２のコネクタ１２２への接続を容易かつ迅速に行なうことができる。
【００６８】
また、前述したように、キャップ９は、保持具本体２の支持部２２に挿入されると、各リブ９１５が溝２２４に係合する。これにより、保持具本体２を把持して、当該保持具本体２に支持されているキャップ９と第２のコネクタ１２２とを螺合させるときに、キャップ９が保持具本体２に対して空回りするのを確実に防止することができる。よって、キャップ９と第２のコネクタ１２２とが過不足なく螺合して、これらが確実に接続される。
【００６９】
また、保持具本体２から蓋体３が離脱した後、キャップ９は、蓋体３の離脱方向と同じ方向に保持具本体２から離脱する。蓋体３の離脱方向と、キャップ９の離脱方向とが同方向で統一させていることは、保持具１の操作性、すなわち、使い易さの向上に寄与する。
【００７０】
以上、本発明の保持具を図示の実施形態について説明したが、本発明は、これに限定されるものではなく、保持具を構成する各部は、同様の機能を発揮し得る任意の構成のものと置換することができる。また、任意の構成物が付加されていてもよい。
【００７１】
また、蓋体の装着状態を解除する解除操作を行なう操作部は、前記実施形態では保持具本体が有する構成となっていたが、これに限定されず、蓋体が有する構成となっていてもよい。
【００７２】
また、蓋体に装着状態を取らせる係合部は、前記実施形態では蓋体が有する構成となっていたが、これに限定されず、保持具本体が有する構成となっていてもよい。
【００７３】
また、この係合部は、前記実施形態では２つの弾性片で構成されているが、弾性片の数は、これに限定されず、例えば、１つまたは３つ以上であってもよい。
【符号の説明】
【００７４】
１            保持具
２            保持具本体
２１          板状体
２２          支持部
２２１        大径部
２２２        小径部
２２３        内径漸減部
２２４        溝
２３          指掛け部
２４          薄肉部
２５          リブ
３            蓋体
４            操作部
４１          操作片
４１１        固定端
４１２        自由端
４１３        湾曲部
４２          押圧部
４２１        押圧面
５            力付与部
５１          押圧面
６            板状部
７            係合部
７１          弾性片
７２          爪部
９            キャップ
９１          外筒部
９１１        内周部
９１２        雌ネジ
９１３        外周部
９１４        拡径部
９１５        リブ
９２          内筒部
９２１        内周部
９３          上側壁部
９４          開口部
９５          スポンジ
９６          パッキン
１０          透析ライン
１１          バッグ側チューブ
１１１        チューブ
１１２        分岐チューブ
１１３        分岐部
１２          腹膜透析用コネクタ
１２１        第１のコネクタ
１２２        第２のコネクタ
１２３        雄ネジ
１２４        ウィング部
１４          透析液バッグ
１６          ローラクランプ
１７          コネクタ
１８          トランスファーチューブ
１９          排液バッグ
２０          キャップ包装体
３０          包材
１００        腹膜透析セット
α２、α９    矢印
【図１】
2019005440.tif 000003
【図２】
2019005440.tif 000004
【図３】
2019005440.tif 000005
【図４】
2019005440.tif 000006
【図５】
2019005440.tif 000007
【図６】
2019005440.tif 000008
【図７】
2019005440.tif 000009
【図８】
2019005440.tif 000010
【図９】
2019005440.tif 000011